(57)【要約】【課題】  本発明は、光ディスクの表面又はその近傍に存在する異物を除去できるようにする。【解決手段】  本発明は、光ディスク１００を回転させるスピンドルモータ１５と、対物レンズによって集光した光ビームを回転している光ディスク１００へ照射することにより情報を読み出し又は書き込む光ピックアップ１０と、光ピックアップ１０の光ディスク１００と対向する表面上に、所定電圧を発生し得る直流電源２２に接続された正電極２１Ａ及び負電極２１Ｂとでなる電極部２０と、光ピックアップ１０を光ディスク１００の半径方向に移動させるスレッドモータ８及び回転ねじ軸９とを設け、電極部２０は、直流電源２２により正電極２１Ａと負電極２１Ｂとの間に所定電圧を印加して当該正電極２１Ａ及び負電極２１Ｂにそれぞれ静電気力を発生させることにより光ディスク１００の表面又はその近傍に存在するダストｄｓを吸着するようにした。【選択図】        図１
2006134382.tif 000002
【特許請求の範囲】
【請求項１】
少なくとも光ディスクへの情報の書き込み又は光ディスクからの情報の読み出しのいずれか一方を行い得る光ディスク装置において、
上記光ディスクを回転させる回転手段と、
対物レンズによって集光した光ビームを上記回転している上記光ディスクへ照射することにより上記情報を読み出し又は書き込む光ビーム照射手段と、
上記光ビーム照射手段の上記光ディスクと対向する表面上に、所定電圧を発生し得る電力供給手段に接続された複数の電極でなる吸着手段と、
上記光ビーム照射手段を当該光ディスクの半径方向に移動させる移動手段と
を具え、
上記吸着手段は、
上記電力供給手段により上記複数の電極間に上記所定電圧を印加して当該複数の電極にそれぞれ静電気力を発生させることにより上記光ディスクの表面又はその近傍に存在する異物を吸着する
ことを特徴とする光ディスク装置。
【請求項２】
上記光ビーム照射手段の上記対物レンズは固体液浸レンズである
ことを特徴とする請求項１に記載の光ディスク装置。
【請求項３】
上記吸着手段は、
上記対物レンズと隣接し上記光ディスクの回転方向に沿った位置に設けられ、当該対物レンズにより上記情報を読み出し又は書き込むよりも先行して上記異物を吸着する
ことを特徴とする請求項１に記載の光ディスク装置。
【請求項４】
上記吸着手段の上記電極を被覆することにより上記ディスク状記録媒体と当該電極との間の絶縁状態を維持する被覆手段と
を具えることを特徴とする請求項１に記載の光ディスク装置。
【請求項５】
上記吸着手段に吸着された上記異物を当該吸着手段から除去する異物除去手段と
を具えることを特徴とする請求項１に記載の光ディスク装置。
【請求項６】
上記移動手段は、
上記光ビーム照射手段を上記光ディスクが格納されたディスク格納部から当該ディスク格納部とは異なる異物除去部内へ移動させてから上記異物除去手段により上記吸着手段から上記異物を除去する
ことを特徴とする請求項５に記載の光ディスク装置。
【請求項７】
上記吸着手段は正電極及び負電極を有し、当該正電極及び当該負電極の表面積は互いにおおよそ等しい
ことを特徴とする請求項１に記載の光ディスク装置。
【請求項８】
上記電力供給手段に接続された複数の電極でなる第２吸着手段と、
上記光ディスクを挟んで上記光ビーム照射手段と反対側において上記第２吸着手段を上記光ディスクの半径方向に移動させる第２移動手段と
を具え、
上記吸着手段は、
上記電力供給手段により上記複数の電極間に上記所定電圧を印加して当該複数の電極にそれぞれ静電気力を発生させることにより上記光ディスクの表面又はその近傍に存在する異物を吸着する
ことを特徴とする請求項１に記載の光ディスク装置。
【請求項９】
少なくとも光ディスクへの情報の書き込み又は光ディスクからの情報の読み出しのいずれか一方を行い得る光ディスク装置において、
上記情報を読み出す際又は上記情報を書き込む際に上記光ディスクを回転させる回転手段と、
上記光ディスクと対向する表面上に所定電圧を生成し得る所定の電力供給手段に接続された複数の電極でなる吸着手段と、
上記吸着手段を上記光ディスクに近接させた状態で当該光ディスクの半径方向に移動させる移動手段と
を具え、
上記吸着手段は、
上記電力供給手段により上記複数の電極間に上記所定電圧を印加して当該複数の電極にそれぞれ静電気力を発生させることにより上記光ディスクの表面又はその近傍に存在する異物を吸着する
ことを特徴とする光ディスク装置。
【請求項１０】
固体液浸レンズでなる対物レンズによって集光した光ビームを上記回転している上記光ディスクへ照射することにより上記情報を読み出し又は書き込む光ビーム照射手段と
を具えることを特徴とする請求項９に記載の光ディスク装置。
【請求項１１】
上記吸着手段の上記電極を被覆することにより上記ディスク状記録媒体と当該電極との間の絶縁状態を維持する被覆手段と
を具えることを特徴とする請求項９に記載の光ディスク装置。
【請求項１２】
上記吸着手段に吸着された上記異物を当該吸着手段から除去する異物除去手段と
を具えることを特徴とする請求項９に記載の光ディスク装置。
【請求項１３】
上記移動手段は、
上記吸着手段を上記光ディスクが格納されたディスク格納部から当該ディスク格納部とは異なる異物除去部内へ移動させてから上記異物除去手段により当該吸着手段から上記異物を除去する
ことを特徴とする請求項１２に記載の光ディスク装置。
【請求項１４】
上記吸着手段は正電極及び負電極を有し、当該正電極及び当該負電極の表面積は互いにおおよそ等しい
ことを特徴とする請求項９に記載の光ディスク装置。
【請求項１５】
上記電力供給手段に接続された複数の電極でなる第２吸着手段と、
上記光ディスクを挟んで上記移動手段と反対側において上記第２吸着手段を上記光ディスクの半径方向に移動させる第２移動手段と
を具え、
上記吸着手段は、
上記電力供給手段により上記複数の電極間に上記所定電圧を印加して当該複数の電極にそれぞれ静電気力を発生させることにより上記光ディスクの表面又はその近傍に存在する異物を吸着する
ことを特徴とする請求項９に記載の光ディスク装置。
【発明の詳細な説明】
【技術分野】
【０００１】
本発明は光ディスク装置に関し、例えば光ディスクに情報を書き込んで記録し、また当該光ディスクから情報を読み出して再生する光ディスク記録再生装置に適用して好適なものである。
【背景技術】
【０００２】
従来、光ディスク記録再生装置においては、ＣＤ（Compact Disc）やＤＶＤ（Digital Versatile Disc）、あるいはＢＤ（Blu-ray Disc、登録商標）等の規格に準じた光ディスクを記録媒体として、音楽等の音声データ、映画等の映像データ、及びパーソナルコンピュータ等で用いるプログラム等の種々の情報を記録し、また再生するものが実用化されている。
【０００３】
このような光ディスクにおいては、１枚の光ディスクにおける記録容量の増加が次々と要求されてきたものの、使い勝手の観点から光ディスクのサイズ（直径）を大きくすることが困難であるため、単位面積あたりの情報の記録密度を向上させることにより、ＣＤ（約６５０ＭＢ）、ＤＶＤ（約４．７ＧＢ）、ＢＤ（約２５ＧＢ）のように、新たな規格が提案される度に大容量化が実現されてきた。
【０００４】
さらに近年では、光ディスクのさらなる大容量化を実現するべく、光ディスク記録再生装置においてレーザ光を光ディスクに照射する際の対物レンズとして固体液浸レンズ（SIL:Solid Immersion Lens）を用いる手法が提案されている（例えば、特許文献１参照）。
【特許文献１】特開平５−１８９７９６号公報（第３頁、第３図）
【発明の開示】
【発明が解決しようとする課題】
【０００５】
ところで、従来のＣＤやＤＶＤ等においては、対物レンズと光ディスクとの間の距離が十分に広く、当該光ディスクの信号記録面におけるレーザ光のスポット径も十分に大きいため、当該光ディスクの信号記録面の表面に例えば数十から数百［ｎｍ］程度の微小な異物が付着していたとしても、情報の書き込み又は読み出しにはほとんど影響を及ぼすことが無く、当該情報の記録又は再生を正常に行うことができた。
【０００６】
しかしながら、上述した固体液浸レンズを用いた光ディスク記録再生装置では、当該固体液浸レンズの特性上、対物レンズと光ディスクとの間の距離を約２０［ｎｍ］程度といった極めて近接した状態に保ってレーザ光を光ディスクに照射する必要がある。
【０００７】
このため光ディスク記録再生装置は、ディスクの記録面上に数十から数百［ｎｍ］程度の微小な異物が付着していた場合、レーザ光が完全に遮断されてしまい、あるいは当該異物が対物レンズに衝突して当該対物レンズが損傷してしまうという問題があった。
【０００８】
本発明は以上の点を考慮してなされたもので、光ディスクの表面又はその近傍に存在する異物を除去し得る光ディスク装置を提案しようとするものである。
【課題を解決するための手段】
【０００９】
かかる課題を解決するため本発明の光ディスク装置においては、少なくとも光ディスクへの情報の書き込み又は光ディスクからの情報の読み出しのいずれか一方を行い得る光ディスク装置において、光ディスクを回転させる回転手段と、対物レンズによって集光した光ビームを回転している光ディスクへ照射することにより上記情報を読み出し又は書き込む光ビーム照射手段と、光ビーム照射手段の光ディスクと対向する表面上に、所定電圧を発生し得る電力供給手段に接続された複数の電極でなる吸着手段と、光ビーム照射手段を当該光ディスクの半径方向に移動させる移動手段とを設け、吸着手段は、電力供給手段により複数の電極間に所定電圧を印加して当該複数の電極にそれぞれ静電気力を発生させることにより光ディスクの表面又はその近傍に存在する異物を吸着するようにした。
【００１０】
これにより、回転している光ディスクから情報を読み出し又は当該光ディスクに情報を書き込むために光ビーム照射手段を光ディスクの半径方向に移動させるだけで、当該光ディスクに近接された状態の吸着手段により当該光ディスクの表面又はその近傍に存在する異物を吸着することができ、光ビーム照射手段から照射する光ビームが当該異物によって遮られる可能性を低減することができる。
【００１１】
また本発明の光ディスク装置においては、少なくとも光ディスクへの情報の書き込み又は光ディスクからの情報の読み出しのいずれか一方を行い得る光ディスク装置において、情報を読み出す際又は上記情報を書き込む際に光ディスクを回転させる回転手段と、光ディスクと対向する表面上に所定電圧を生成し得る所定の電力供給手段に接続された複数の電極でなる吸着手段と、吸着手段を光ディスクに近接させた状態で当該光ディスクの半径方向に移動させる移動手段とを設け、吸着手段は、電力供給手段により複数の電極間に所定電圧を印加して当該複数の電極にそれぞれ静電気力を発生させることにより光ディスクの表面又はその近傍に存在する異物を吸着するようにした。
【００１２】
これにより、回転している光ディスクの半径方向に吸着手段を移動させるだけで、当該光ディスクに近接された状態の吸着手段により当該光ディスクの表面又はその近傍に存在する異物を吸着することができ、情報を読み出し又は情報を書き込むために照射する光ビームが当該異物によって遮られる可能性を低減することができる。
【発明の効果】
【００１３】
本発明によれば、回転している光ディスクから情報を読み出し又は当該光ディスクに情報を書き込むために光ビーム照射手段を光ディスクの半径方向に移動させるだけで、当該光ディスクに近接された状態の吸着手段により当該光ディスクの表面又はその近傍に存在する異物を吸着することができ、光ビーム照射手段から照射する光ビームが当該異物によって遮られる可能性を低減することができ、かくして光ディスクの表面又はその近傍に存在する異物を除去し得る光ディスク装置を実現できる。
【００１４】
また本発明によれば、回転している光ディスクの半径方向に吸着手段を移動させるだけで、当該光ディスクに近接された状態の吸着手段により当該光ディスクの表面又はその近傍に存在する異物を吸着することができ、情報を読み出し又は情報を書き込むために照射する光ビームが当該異物によって遮られる可能性を低減することができ、かくして光ディスクの表面又はその近傍に存在する異物を除去し得る光ディスク装置を実現できる。
【発明を実施するための最良の形態】
【００１５】
以下、図面について、本発明の一実施の形態を詳述する。
【００１６】
（１）第１の実施の形態
（１−１）光ディスク記録再生装置の全体構成
図１において、１は全体として第１の実施の形態による光ディスク記録再生装置を表しており、光ディスク１００が収納されたディスクカートリッジ１０１を内部に装填し、当該光ディスク１００に対して情報の記録又は再生を行い得るようになされている。
【００１７】
ディスクカートリッジ１０１は、光ディスク１００に直接レーザ光を照射させるための開閉式のシャッタを下面側に有しており（図示せず）、当該シャッタと当該ディスクカートリッジ１０１と間には実際上どうしても隙間を生じてしまう。このため光ディスク１００は、ディスクカートリッジ１０１に収納されたままユーザに取り扱われるものの、この隙間からディスクカートリッジ１０１内に侵入したダストが付着する可能性を有している。
【００１８】
一方光ディスク記録再生装置１は、前面に設けられたディスクカートリッジ挿入口（図示せず）から装填されたディスクカートリッジ１０１を光ディスク格納室２に格納させるようになされている。この光ディスク格納室２は、ディスクカートリッジ挿入口に設けられたドア（図示せず）によってほぼ密閉された状態に保たれており、外部からのゴミや埃などの異物（以下これをダストと呼ぶ）を当該光ディスク格納室２内に極力侵入させないようになされている。
【００１９】
なお光ディスク記録再生装置１においては、ディスクカートリッジ挿入口からディスクカートリッジ１０１を挿入する方向を後方向、その反対方向を前方向と定義すると共に、
ディスクカートリッジ挿入口にユーザが対峙した状態において右方向及び左方向を定義した上で以下説明する。
【００２０】
スピンドルモータ１５は、光ディスク格納室２のほぼ中央位置に取り付けられており、ディスクカートリッジ１０１内の光ディスク１００を回転駆動するようになされている。
【００２１】
光ピックアップ１０は、ねじが刻まれた回転ねじ軸９及び摺動抵抗が非常に小さいガイドレール１１によって貫通されており、スレッドモータ８の駆動力が当該回転ねじ軸９に伝達して当該回転ねじ軸９が回転駆動されることにより、当該ガイドレール１１に沿って光ディスク１００の半径方向に移動するようになされている。
【００２２】
また光ピックアップ１０は、光ディスク１００の信号記録面（すなわち下面）に対してデータの記録用又は再生用のレーザ光を照射してその反射光を読み取るようになされており、当該光ディスク１００の半径方向へ移動されることにより、スピンドルモータ１５により回転されている光ディスク１００上の所望の位置に当該レーザ光を照射し得るようになされている。
【００２３】
また回転ねじ軸９及びガイドレール１１は、光ディスク格納室２に隣接した電極クリーニング室３の内部まで延長されており、当該光ピックアップ１０を当該光ディスク格納室２の内部のみでなく当該電極クリーニング室３の内部にまで移動させ得るようになされている。
【００２４】
（１−２）光ピックアップの構成
光ピックアップ１０は、図２（Ａ）に示すように、光ディスク１００（図１）の信号記録面（下面）と対向する上面側に対物レンズ部１２及び電極部２０を有している。
【００２５】
対物レンズ部１２は、図示しないレーザダイオードから出射されたレーザ光を集光して光ディスク１００に照射するようになされ、また図２（Ｂ）に示すように、アクチュエータ１３によって上下方向に移動されるようになされており、回転する際にいわゆる「面ぶれ」が生じる光ディスク１００との間の距離ＤＬが一定に保たれるようになされている。
【００２６】
ちなみに対物レンズ部１２には対物レンズとして固体液浸レンズ（SIL:Solid Immersion Lens）が用いられており、当該固体液浸レンズの特性上、当該対物レンズ部１２を光ディスク１００に極めて近接させる必要がある。そこで光ピックアップ１０は、対物レンズ部１２をアクチュエータ１３によって光ディスク１００に近接させており、実際上、当該対物レンズ部１２と光ディスク１００との間の距離ＤＬを約２０［ｎｍ］に保つようになされている。
【００２７】
電極部２０は、それぞれ矩形板状の金属材料でなる正電極２１Ａ及び負電極２１Ｂによって構成されており、当該正電極２１Ａ及び負電極２１Ｂの表面積はほぼ同等となるようになされている。
【００２８】
ちなみに電極部２０の正電極２１Ａ及び負電極２１Ｂは、共に光ピックアップ１０の上面に取り付けられており、実際上当該正電極２１Ａ及び負電極２１Ｂと光ディスク１００との間の距離ＤＥは数百［μｍ］程度に保たれている。
【００２９】
（１−３）電極部によるダストの吸着
電極部２０の正電極２１Ａ及び負電極２１Ｂは、図３に示すように、それぞれ直流電源２２の正極及び負極に接続されており、当該直流電源２２によって所定電圧が印加されることにより帯電し、当該正電極２１Ａにはプラスの静電気力が生じ、また当該負電極２１Ｂにはマイナスの静電気力が生じる。
【００３０】
これによりプラスの静電気力を生じた正電極２１Ａは、光ディスク１００の信号記録面（すなわち下面）に付着しているダストｄｓ及びその近傍に浮遊しているダストｄｓのうち、マイナスに帯電しているダストｄｓ１を吸着する。また正電極２１Ａは、当該正電極２１Ａが帯電したことにより生じた電界によって、電気的に中性のダストｄｓ２の内部における電荷の分布を変化させてマイナスの電荷を当該正電極２１Ａ側に引き寄せ、さらに当該マイナスの電荷との間に作用する静電気力（クーロン力）によって当該ダストｄｓ２を吸着する。
【００３１】
マイナスの静電気力を生じた負電極２１Ｂは、当該静電気力によってプラスに帯電しているダストｄｓ３を吸着する。また負電極２１Ｂは、当該負電極２１Ｂが帯電したことにより生じた電界によって、電気的に中性のダストｄｓ４の内部における電荷の分布を変化させてプラスの電荷を当該負電極２１Ｂ側に引き寄せ、さらに当該プラスの電荷との間に作用する静電気力（クーロン力）によって当該ダストｄｓ４を吸着する。
【００３２】
ちなみに直流電源２２は、電極部２０の正電極２１Ａ及び負電極２１Ｂにおいて静電気力を生じ得る範囲内で、例えば約１００［Ｖ］等の任意の電圧を生じるようにしても良い。また、正電極２１Ａと負電極２１Ｂと間ではほとんど電流が流れないため、直流電源２２は比較的高い電圧を生じているものの消費電力を非常に小さく抑えることができる。
【００３３】
ここで図４（Ａ）に示すように、電極部２０は、光ピックアップ１０と一体にガイドレール１１に沿って移動することにより、光ディスク１００の内周側（左側）から外周側（右側）までの任意の位置においてダストｄｓを吸着することができる。
【００３４】
また図４（Ｂ）に示すように、光ディスク１００がスピンドルモータ１５によって矢印ｒ方向に回転されているため、当該光ディスク１００の信号記録面（すなわち下面）の様々な箇所に付着したダストｄｓも当該光ディスク１００と共に回転され、図中に破線で示すようにその軌跡が円弧を描くことになる。
【００３５】
このため光ディスク１００の様々な箇所に付着しているダストｄｓは、当該光ディスク１００が回転されることにより、周期的に電極部２０の移動範囲ＡＲを通過することになり、このとき光ピックアップ１０が付近に位置している場合、電極部２０によって吸着されることになる。
【００３６】
仮に、光ディスク１００を回転させながら光ピックアップ１０を最内周から外周側へ徐々に移動させていった場合、電極部２０は、図５に示すような螺旋状の軌跡を当該光ディスク１００上に描くことになり、当該光ディスク１００の全面にもれなく対処することができる。
【００３７】
すなわち電極部２０は、光ディスク１００が回転され、光ピックアップ１０が当該光ディスク１００の半径方向に移動することにより、当該光ディスク１００の信号記録面における様々な箇所に付着したダストｄｓを吸着することができる。
【００３８】
また電極部２０は、光ピックアップ１０において対物レンズ部１２よりも後側に取り付けられているため、光ピックアップ１０の対物レンズ部１２から光ディスク１００へレーザ光を照射してデータの記録や再生を行いながら、当該レーザ光を照射する直前の箇所における当該光ディスク１００の信号記録面の表面やその近傍に存在するダストｄｓを電極部２０に吸着させて取り除くことができる。
【００３９】
これにより光ディスク記録再生装置１は、矢印ｒ方向に回転する光ディスク１００に付着して当該対物レンズ部１２に接近してくるダストｄｓを当該対物レンズ部１２の直前で吸着することができ、当該ダストｄｓを当該対物レンズ部１２に近接又は衝突させることを未然に防止するようになされている。
【００４０】
（１−４）電極のクリーニング
ところで光ディスク記録再生装置１は、電極部２０に吸着したダストｄｓをそのままにしておくと、既に吸着したダストｄｓによって静電気力が弱められることにより新たなダストｄｓを吸着できなくなる可能性があり、また電源が切断されて当該電極部２０の正電極２１Ａ及び負電極２１Ｂ（図３）における静電気力が消失した際に、一度吸着したダストｄｓを光ディスク格納室２内に拡散させてしまい、当該ダストｄｓを再度光ディスク１００に付着させてしまう可能性もある。
【００４１】
このため光ディスク記録再生装置１は、光ピックアップ１０を光ディスク格納部としての光ディスク格納室２（図１）から異物除去部としての電極クリーニング室３へ移動させ、当該電極クリーニング室３に設けたダスト除去部３０によって電極部２０に吸着したダストｄｓを除去する電極のクリーニング処理を行うようになされている。
【００４２】
（１−４−１）ダスト除去部の構成
図６（Ａ）及び（Ｂ）に示すように、異物除去手段としてのダスト除去部３０は電極クリーニング室３において支持部３１によって筐体の天板に取り付けられており、矩形板状の電極ワイパー３２を中心に構成されている。
【００４３】
ちなみに電極ワイパー３２は、樹脂素材で構成され全体として可撓性を有しており、撓んだ際には元の形状に戻ろうとする弾性力を有する。
【００４４】
電極ワイパー３２は、電極ワイパー回動軸３３と一体に形成されており、当該電極ワイパー回動軸３３を回動自在に支持する支持部３１によって電極クリーニング室３の天板から吊り下げられている。
【００４５】
なお以下では、図６（Ａ）に示したように電極ワイパー３２が重力によって電極ワイパー回動軸３３から真下方向へ向けられている状態を自然状態と呼ぶ。
【００４６】
支持部３１は、当該支持部３１と一体に形成されたストッパ３１Ａを電極ワイパー３２の左側に有しており、自然状態からわずかに左方向へ回動した電極ワイパー３２と当該ストッパ３１Ａとを当接させるようになされている。
【００４７】
このため電極ワイパー３２は、矢印ａで示すように、支持部３１に支持された電極ワイパー回転軸３３を中心に自然状態から右方向へ回動し得るものの、左方向へはほとんど回動し得ないようになされている。
【００４８】
また電極ワイパー３２の左側面の下方後側には、当該電極ワイパー３２よりも小さい矩形板状でなる持上板３４が、当該持上板３４と一体に形成された持上板回動軸３５によって当該電極ワイパー３２に対して回動自在に取り付けられている。
【００４９】
この持上板３４は、図６（Ａ）に示したように自然状態ではほぼ真下方向を向いており、矢印ｂで示すように、持上板回動軸３５を中心に左方向へは自在に回動し得るものの、右方向へは電極ワイパー３２と干渉するため回動し得ないようになされている。
【００５０】
このためダスト除去部３０においては、仮に自然状態において持上板３４の下部が外部から右方向への外力を受けた場合、当該持上板３４が持上板回動軸３５を中心に右方向へ回動し得ないため、当該持上板３４から当該外力を電極ワイパー３２へ伝達し、当該電極ワイパー３２が持上板３４と一体に電極ワイパー回動軸３３を中心として右方向へ回動する。
【００５１】
またダスト除去部３０においては、仮に自然状態において持上板３４の下部が外部から左方向への外力を受けた場合、電極ワイパー３２が電極ワイパー回動軸３３を中心に左方向へ回動し得ないため、当該電極ワイパー３３はほぼ自然状態のままとなり、持上板３４のみが持上板回転軸３５を中心に左方向へ回動する。
【００５２】
ちなみに、持上板３４の下端部３４Ａと電極ワイパー３２の下端部３２Ａとの距離ＤＷは、図２（Ｂ）に示した正電極２１Ａ及び負電極２１Ｂの厚さＤＰよりも十分長くなるようになされている。
【００５３】
このようにダスト除去部３０は、電極ワイパー回動軸３３及び持上板回動軸３５を中心に電極ワイパー３２及び持上板３４の回動可能な方向をそれぞれ片方向のみに制約するようになされている。
【００５４】
（１−４−２）電極のクリーニング処理
次に、光ディスク記録再生装置１がダスト除去部３０によって電極部２０からダストを除去する電極のクリーニング処理について順次説明する。
【００５５】
まず光ディスク記録再生装置１は、図７（Ａ）及び（Ｂ）に示すように、光ピックアップ１０の電極部２０により、光ディスク格納室２において光ディスク１００（図１）の信号記録面の表面に付着していたダストｄｓやその近傍に浮遊していたダストｄｓ等を吸着し、ガイドレール１１に沿って当該光ピックアップ１０を電極クリーニング室３側へ移動させる。
【００５６】
なお、図７（Ａ）は光ディスク記録再生装置１の内部を前面側からみた正面図を表しており、図７（Ｂ）はダスト除去部３０及び光ピックアップ１０を左側からみた左側面図を表す。また以下の図８〜図１５についても同様である。
【００５７】
次に光ディスク記録再生装置１は、図８（Ａ）及び（Ｂ）に示すように、光ピックアップ１０をガイドレール１１に沿って光ディスク格納室２から徐々に電極クリーニング室３の内部へ移動させ、光ピックアップ１０の右側側面をダスト除去部３０の持上板３４に当接させる。
【００５８】
さらに光ディスク記録再生装置１は、図９（Ａ）及び（Ｂ）に示すように、光ピックアップ１０をガイドレール１１に沿って電極クリーニング室３の内部へ移動させる。このとき光ピックアップ１０は、持上板３４の下部を右方向へ押し付けながら移動するため、電極ワイパー３２及び当該持上板３４の回動可能な方向の制約により、当該電極ワイパー３２と当該持上板３４を一体に電極ワイパー回動軸３３を中心に右方向へ回動させていく。これにつれて光ピックアップ１０は、持上板３４の下端部３４Ａを徐々に持ち上げていき、当該光ピックアップ１０の上面の高さにまで持ち上げる。
【００５９】
引き続き光ディスク記録再生装置１は、図１０（Ａ）及び（Ｂ）に示すように、光ピックアップ１０をガイドレール１１に沿って電極クリーニング室３の内部をさらに右方向へ移動させる。このとき光ピックアップ１０は、既に当該光ピックアップ１０の上面の高さにまで持ち上げた持上板３４の下端部３４Ａを、今度は当該光ピックアップ１０の上面で支えながら、すなわち持上板３４の下端部３４Ａを摺動させながら移動する。
【００６０】
ここで持上板３４は、電極ワイパー３２の後側に取り付けられているため、図１０（Ｂ）に示したように、電極部２０と接触せずに光ピックアップ１０の上面後側を下端部３４Ａによって摺動していく。
【００６１】
このとき電極ワイパー３２は、持上板３４の下端部３４Ａと電極ワイパー３２の下端部３２Ａとの距離ＤＷ（図６（Ｂ））が正電極２１Ａ及び負電極２１Ｂの厚さＤＰ（図２（Ｂ））よりも十分に長いため、持上板３４によって光ピックアップ１０の上面から持ち上げられることになり、電極部２０の正電極２１Ａ及び負電極２１Ｂや当該電極部２０に吸着したダストｄｓと当該電極ワイパー３２の下端部３２Ａとの間に十分な距離を保ち、当該ダストｄｓと接触することがない。
【００６２】
その後、光ディスク記録再生装置１は、図１１（Ａ）及び（Ｂ）に示すように、電極部２０にダストｄｓを吸着させたまま光ピックアップ１０をガイドレール１１に沿って電極クリーニング室３の内部をさらに右方向へ移動させる。このとき電極ワイパー３２及び持上板３４は、持上板３４の下端部３４Ａが光ピックアップ１０の上面によって支えられなくなるため、重力の作用によって電極ワイパー回動軸３３を中心に左方向へ回動し、自然状態に戻る。
【００６３】
次に光ディスク記録再生装置１は、図１２（Ａ）及び（Ｂ）に示すように、今度は光ピックアップ１０をガイドレール１１に沿って電極クリーニング室３の内部を左方向へ移動させ始め、光ピックアップ１０の左側側面をダスト除去部３０の持上板３４に当接させる。また光ディスク記録再生装置１は、直流電源２２（図３）により電極部２０の正電極２１Ａ及び負電極２１Ｂの間における所定電圧の印加を一時停止し、静電気力を一時的に発生させないようにする。
【００６４】
続いて光ディスク記録再生装置１は、図１３（Ａ）及び（Ｂ）に示すように、光ピックアップ１０をガイドレール１１に沿って電極クリーニング室３から徐々に光ディスク格納室２の内部へ左方向に移動させる。このとき光ピックアップ１０は、持上板３４の下部を左方向へ押し付けながら移動するため、電極ワイパー３２及び当該持上板３４の回動可能な方向の制約により、持上板回動軸３５を中心に当該持上板３４のみを左方向へ回動させていき、当該持上板３４の下端部３４Ａを光ピックアップ１０の上面の高さにまで持ち上げてから、当該光ピックアップ１０の上面によって当該持上板３４の下端部３４Ａを摺動させる。
【００６５】
さらに電極ワイパー３２は、光ピックアップ１０の電極部２０によって下端部３２Ａが左方向へ押し付けられるが、ストッパ３１Ａの作用により電極ワイパー回動軸３３を中心に左方向へ回動し得ないため、当該電極ワイパー３２全体が撓み、元の形状に戻ろうとする弾性力の作用によって下端部３２Ａを電極部２０へ押し付けた状態となる。
【００６６】
引き続き光ディスク記録再生装置１は、図１４（Ａ）及び（Ｂ）に示すように、光ピックアップ１０をガイドレール１１に沿って電極クリーニング室３から光ディスク格納室２の内部へさらに移動させる。このとき電極ワイパー３２は、弾性力の作用によって下端部３２Ａを電極部２０へ押しつけたままの状態であるため、左方向に移動する光ピックアップ１０の電極部２０に当該下端部３２Ａを摺動させ、当該電極部２０に吸着したダストｄｓを削ぎ落として当該電極ワイパー３２に付着させていく。
【００６７】
ちなみに光ディスク記録再生装置１は、一時的に電極部２０の正電極２１Ａ及び負電極２１Ｂに静電気力を発生させていないため、当該電極部２０に吸着したダストｄｓを電極ワイパー３２によって容易に削ぎ落とすことができる。
【００６８】
その後、光ディスク記録再生装置１は、図１５（Ａ）及び（Ｂ）に示すように、光ピックアップ１０をガイドレール１１に沿ってさらに左方向へ移動させ、完全に光ディスク格納室２の内部へ移動させる。ここで電極ワイパー３２は、下端部３２Ａによって電極部２０の全ての表面を摺動することになり、当該電極部２０に吸着したダストｄｓを全て削ぎ落として当該電極ワイパー３２に付着させている。
【００６９】
また光ディスク記録再生装置１は、光ピックアップ１０が完全に光ディスク格納室２の内部に戻った時点で、直流電源２２（図３）により電極部２０の正電極２１Ａ及び負電極２１Ｂの間における所定電圧の印加を再開し、再度静電気力を発生させる。
【００７０】
すなわち光ピックアップ１０は、電極部２０にダストｄｓを吸着していない状態で光ディスク格納室２の内部へ戻るため、当該光ディスク格納室２内で再度新たなダストｄｓを吸着することができる。
【００７１】
このように光ディスク記録再生装置１は、ダスト除去部３０の電極ワイパー３２によって電極部２０からダストｄｓを除去することにより電極のクリーニング処理を行うようになされている。
【００７２】
ちなみに光ディスク記録再生装置１は、光ピックアップ１０によってデータの書き込みや読み出しを行わないアイドリング時や次の命令を待ち受けている際に、この電極のクリーニング処理を随時行うようになされている。
【００７３】
（１−５）動作及び効果
以上の構成において、光ディスク記録再生装置１は、光ピックアップ１０の上面に取り付けた電極部２０において直流電源２２により所定電圧を印加して正電極２１Ａ及び負電極２１Ｂにそれぞれ静電気力を発生させ、光ディスク１００を回転させると共に当該光ピックアップ１０を当該光ディスク１００の半径方向に移動させることにより、当該光ディスク１００の信号記録面の表面に付着したダストｄｓ及びその近傍に存在するダストｄｓ等を当該電極部２０に吸着させる。
【００７４】
従って光ディスク記録再生装置１は、ユーザに光ディスク１００を手動でクリーニングさせることなく当該光ディスク１００に付着したダストｄｓを取り除くことができる。
【００７５】
ここで光ディスク記録再生装置１は、光ピックアップ１０に正電極２１Ａ及び負電極２１Ｂでなる電極部２０を取り付けて当該正電極２１Ａ及び当該負電極２１Ｂに直流電圧を印加するといった簡易な構成により、光ディスク１００に付着したダストｄｓを取り除くことができるので、仮に既存の光ピックアップに対して電極部を取り付ける場合であっても、僅かな設計変更を行うだけで良い。
【００７６】
また電極部２０は、正電極２１Ａ及び負電極２１Ｂに静電気力を発生させて光ディスク１００の表面に付着しているダストｄｓを当該正電極２１Ａ及び負電極２１Ｂに吸着させるため、当該光ディスク１００の表面からダストｄｓを非接触で取り除くことができ、摺動によって表面を損傷させる可能性がない。
【００７７】
また光ディスク記録再生装置１は、電極部２０を光ピックアップ１０に取り付けているため、光ディスク１００上の様々な箇所に対して情報の書き込み又は読み出しを行うべく光ピックアップ１０を当該光ディスク１００の半径方向に移動させるだけで、電極部２０も移動させることができるので、当該電極部２０を移動させるための複雑な機構を設ける必要がない。
【００７８】
特に光ディスク記録再生装置１は、電極部２０によって光ディスク１００の信号記録面の表面及びその近傍からダストｄｓを吸着して取り除くことにより、固体液浸レンズを使用しているために光ディスク１００との間隔をわずか２０［ｎｍ］程度に保つ必要がある対物レンズ部１２において、ダストｄｓによって当該対物レンズ部１２から照射するレーザ光を完全に遮断されたり、あるいは当該ダストｄｓを当該対物レンズ部１２に衝突させる可能性を格段に低減することができる。
【００７９】
さらに電極部２０は、その表面積が光ディスク１００の信号記録面の面積と比較して非常に小さいものの、当該電極部２０が光ピックアップ１０と一体に当該光ディスク１００の半径方向に移動し、かつ当該光ディスク１００が回転駆動されることにより、当該光ディスク１００の全面にもれなく対処することができる。
【００８０】
そのうえ電極部２０は、光ピックアップ１０の上面において対物レンズ部１２よりも後側に取り付けられていることにより（図４（Ｂ））、光ディスク１００が矢印ｒ方向に回転した際に、当該光ディスク１００に付着して当該対物レンズ部１２に接近してくるダストｄｓを当該対物レンズ部１２の直前で吸着することができ、光ディスク格納室２内で当該光ディスク１００に新たに付着したダストｄｓであっても、対物レンズ部１２によってアクセスする直前に吸着して取り除くことができる。
【００８１】
また光ディスク記録再生装置１は、光ピックアップ１０を光ディスク格納室２から電極クリーニング室３へ移動させ、ダスト除去部３０の電極ワイパー３２によって電極部２０に吸着したダストｄｓを削ぎ落としてから再度光ディスク格納室２へ戻す。
【００８２】
従って光ディスク記録再生装置１は、電極部２０に吸着したダストｄｓを削ぎ落とすことによって、当該電極部２０を再度ダストｄｓが無い状態に戻すことができるので、十分な静電気力によって多くのダストｄｓを新たに吸着することができる。
【００８３】
このとき光ディスク記録再生装置１は、光ピックアップ１０を移動させることにより電極部２０に吸着したダストｄｓを光ディスク格納室２とは異なる電極クリーニング室３で除去するため、一度吸着したダストｄｓを光ディスク格納室２に再度撒き散らしてしまうことが無く、光ディスク１００に付着する可能性がある光ディスク格納室２内のダストｄｓを確実に削減していくことができる。
【００８４】
またダスト除去部３０は、光ピックアップ１０が左右方向へ移動することを利用し、簡易な構成による電極ワイパー３２の下端部３２Ａを電極部２０へ押しつけながらダストｄｓを削ぎ落とすため、当該ダストｄｓを電極部２０から削ぎ落とすために別途動力源を用いたり複雑な機構を設ける必要がない。
【００８５】
さらに光ディスク記録再生装置１は、ダストｄｓを電極部２０から削ぎ落とす間は電極部２０に静電気力を発生させないため、当該電極部２０に吸着したダストｄｓを容易に削ぎ落とすことができる。
【００８６】
以上の構成によれば、光ディスク記録再生装置１は、光ディスク１００の半径方向に移動する光ピックアップ１０の上面に取り付けた電極部２０の正電極２１Ａ及び負電極２１Ｂにそれぞれ静電気力を発生させることにより、回転する光ディスク１００の信号記録面の表面に付着したダストｄｓ及びその近傍に存在するダストｄｓ等を当該電極部２０に吸着させて取り除くことができる。
【００８７】
（２）第２の実施の形態
図１との対応箇所に同一符号を付した図１６において、４０は第２の実施の形態による光ディスク記録再生装置を表しており、光ピックアップ４１及び電極移動部４６に関連した構成が異なる以外は第１の実施の形態における光ディスク記録再生装置１と同様の構成を有している。
【００８８】
この光ディスク記録再生装置４０においては、光ピックアップ４１がスピンドルモータ１５の左側で光ディスク１００の半径方向に移動するようになされ、光ディスク記録再生装置１におけるスレッドモータ８、回転ねじ軸９、ガイドレール１１、及び光ピックアップ１０に代えてスレッドモータ４３、回転ねじ軸４４、ガイドレール４５、及び電極移動部４６が設けられている。
【００８９】
電極移動部４６は、光ディスク記録再生装置１における光ピックアップ１０と同様に、スレッドモータ４３の駆動力が回転ねじ軸４４に伝達されて当該回転ねじ軸４４が回転駆動されることにより光ディスク１００の半径方向に移動し、さらに光ディスク格納室２及び電極クリーニング室３の両方へガイドレール４５に沿って移動し得るようになされている。
【００９０】
ちなみに電極移動部４６は、光ピックアップ４１とは独立して自在に移動し得るようになされている。
【００９１】
電極移動部４６は、図１７に示すように、光ディスク１００（図１６）と対向する上面側に電極部２０を有しており、第１の実施の形態と同様に、当該電極部２０の正電極２１Ａと負電極２１Ｂとの間に直流電源２２によって所定電圧を印加して当該正電極２１Ａ及び負電極２１Ｂにそれぞれ静電気力を発生させることにより、光ディスク１００の信号記録面（すなわち下面）の表面に付着したダストｄｓ及びその近傍に浮遊して存在するダストｄｓ等を吸着する。
【００９２】
さらに光ディスク記録再生装置４０は、上述した電極のクリーニング処理（図７〜図１５）と同様にダスト除去部３０の電極ワイパー３２によって電極移動部４６の電極部２０からダストｄｓを除去することにより電極のクリーニング処理を行うようになされている。
【００９３】
以上の構成において、光ディスク記録再生装置４０は、電極移動部４６の上面に取り付けた電極部２０において、光ディスク記録再生装置１における光ピックアップ１０に取り付けられた電極部２０と同様に、直流電源２２により所定電圧を印加して正電極２１Ａ及び負電極２１Ｂにそれぞれ静電気力を発生させ、光ディスク１００を回転させると共に当該電極移動部４６を当該光ディスク１００の半径方向に移動させることにより、当該光ディスク１００の信号記録面の表面に付着したダストｄｓ及びその近傍に存在するダストｄｓ等を当該電極部２０に吸着させる。
【００９４】
従って光ディスク記録再生装置４０は、第１の実施の形態と同様に、ユーザに光ディスク１００を手動でクリーニングさせることなく当該光ディスク１００に付着したダストｄｓを取り除くことができる。
【００９５】
特にこの第２の実施の形態においては、電極部２０を光ピックアップ４１と異なる電極移動部４６に取り付け、当該電極移動部４６を光ピックアップ４１とは独立して移動させることにより、光ピックアップ４１によって光ディスク１００の信号記録面における所定の箇所に対してレーザ光を照射しているときであっても、当該光ディスク１００の任意の箇所のダストｄｓを電極部２０に吸着させることができ、また当該電極移動部４６を電極クリーニング室３へ移動させて電極部２０のダストｄｓを除去することもできる。
【００９６】
なお光ディスク記録再生装置４０は、電極部２０が電極移動部４６に取り付けられている点以外について、第１の実施の形態における光ディスク記録再生装置１と同様の効果を有する。
【００９７】
以上の構成によれば、光ディスク記録再生装置４０は、光ディスク１００の半径方向に移動する電極移動部４６の上面に取り付けた電極部２０の正電極２１Ａ及び負電極２１Ｂにそれぞれ静電気力を発生させることにより、第１の実施の形態と同様に、回転する光ディスク１００の信号記録面の表面に付着したダストｄｓ及びその近傍に存在するダストｄｓ等を当該電極部２０に吸着させて取り除くことができる。
【００９８】
（３）他の実施の形態
なお上述した第２の実施の形態においては、電極部２０を有する電極移動部４６をガイドレール４５に沿って直線状に移動させるようにした場合について述べたが、本発明はこれに限らず、例えば図１８に示すように、電極部２０有する電極移動部７３を、駆動モータ７５によりアーム部７４を介して回転駆動することにより当該電極移動部７３を円弧状に移動させるようにしても良い。
【００９９】
また上述の実施の形態においては、光ピックアップ１０又は電極移動部４６の上面に電極部２０として正電極２１Ａ及び負電極２１Ｂ（図２、図１７）のみを取り付けるようにした場合について述べたが、本発明はこれに限らず、図１９（Ａ）に示すように、電極部２０に代わる電極部５０として、当該正電極２１Ａと当該負電極２１Ｂとの間及びその周辺に絶縁体２３を充填するようにしても良い。
【０１００】
この場合、断面図を図１９（Ｂ）に示すように、正電極２１Ａと負電極２１Ｂとの間が絶縁体２３によって絶縁されているため、当該正電極２１Ａと当該負電極２１Ｂとの間に導電性のダストｄｓが付着して両電極間を通電させることにより両電極間の電位差が減少して静電気力が弱まってしまうことを未然に防止することができる。
【０１０１】
さらに断面図を図２０（Ａ）に示すように、電極部２０に代わる電極部５１として、正電極２１Ａ、負電極２１Ｂ、及び絶縁体２３の上面（すなわち光ディスク１００に対向する面）を被覆するように絶縁性を有する薄いカバーフィルム２４を設けるようにしても良く、あるいは断面図を図２０（Ｂ）に示すように、電極部２０に代わる電極部５２として、絶縁体２３を充填しない場合であっても当該カバーフィルム２４を設けるようにしても良い。
【０１０２】
このように被覆手段としてのカバーフィルム２４を設けた場合、電極部５１及び電極部５２において、当該カバーフィルム２４によって正電極２１Ａと負電極２１Ｂとの間の絶縁性を一段と確実にすることができると共に、外部からの振動や衝撃等によって光ディスク１００が光ピックアップ１０又は電極移動部４６と接触した場合でも、当該光ディスク１００が金属製でなる正電極２１Ａ及び負電極２１Ｂと直接接触して放電破壊を生じたり当該光ディスク１００や正電極２１Ａ及び負電極２１Ｂが損傷することを未然に防止することができる。
【０１０３】
ちなみにカバーフィルム２４の材料や厚さは、正電極２１Ａ及び負電極２１Ｂにおいて発生する静電気力に極力影響しない（弱めない）ものを選択すれば良く、また表面の摩擦力が小さい材料を用いることにより、ダスト除去部３０によって当該電極部５１及び５２に吸着したダストを一段と容易に削ぎ落とすことができる。
【０１０４】
さらに上述の実施の形態においては、光ピックアップ１０又は電極移動部４６の上面にのみ電極部２０を取り付けるようにした場合について述べたが、本発明はこれに限らず、図２１に示すように光ディスク１００を挟んで光ピックアップ１０又は電極移動部４６と反対側に電極移動部７６を設け、当該電極移動部７６の下面に電極部２０と同様の構成でなる電極部５３を設け、当該電極移動部７６をガイドレール７７に沿って移動させるようにしても良い。
【０１０５】
この場合、光ディスク１００の信号記録面の表面及びその近傍に存在するダストｄｓだけでなく、当該光ディスク１００のレーベル面（上面）の表面及びその近傍に存在するダストｄｓを取り除くことができ、光ディスク格納室２内のダストｄｓを一段と効率的に取り除くことにより、当該光ディスク１００の信号記録面に新たにダストｄｓが付着する可能性を低減させることができる。
【０１０６】
ちなみに電極移動部７６の電極部５３に対応するダスト除去部は、上述したダスト除去部３０を上下反対向きに取り付ければよいものの、重力に抗して電極ワイパー及び持上板を自然状態に保持する必要があるため、所定のばね等を用いて当該電極ワイパー及び当該持上板を自然状態に保持するようにしても良い。
【０１０７】
また、図２２に示すように光ピックアップ１０又は電極移動部４６の下面にも電極部２０と同様の構成でなる電極部５４を設けるようにしたり、あるいはこれらを組み合わせて図２３に示すように電極移動部７６の上面に電極部２０と同様の構成でなる電極部５５を設けるようにしてもよく、これらの場合にも光ディスク格納室２内のダストｄｓを一段と効率的に取り除くことができる。
【０１０８】
さらに上述の実施の形態においては、電極部２０として矩形平板状の正電極２１Ａ及び負電極２１Ｂをそれぞれ１つずつ光ピックアップ１０又は電極移動部４６の上面に設けるようにした場合について述べたが、本発明はこれに限らず、種々の形状でなる正電極２１Ａと負電極２１Ｂとをそれぞれ複数配置するようにしても良い。
【０１０９】
例えば図２４（Ａ）〜（Ｄ）に示すように、電極部２０に代わる電極部５６〜５９として、正電極２１Ａと負電極２１Ｂとを交互に２つずつ、あるいは４つずつ配置したり、また正電極２１Ａ及び負電極２１Ｂの断面形状を円形にしたり、さらには正電極２１Ａ及び負電極２１Ｂを光ピックアップ１０の上面に埋め込むようにしても良い。
【０１１０】
この場合、正電極２１Ａ及び負電極２１Ｂの断面形状に応じて、ダスト除去部３０における電極ワイパー３２の下端部３２Ａの形状をブラシ状に変更する等してダスト除去の効率を向上させるようにしても良い。
【０１１１】
また図２５（Ａ）〜（Ｃ）に示すように、電極移動部７６に設けた（電極部５３及び５５）に代わる電極部６０〜６２として、正電極２１Ａ及び負電極２１Ｂを当該電極移動部７６の上下両面に露出又は近接させて設けることにより、当該電極移動部７６の上下両面に静電気力を発生し得るようにしてもよい。
【０１１２】
さらに図２６（Ａ）〜（Ｃ）、及び図２７（Ａ）〜（Ｃ）に示すように、正電極２１Ａと負電極２１Ｂとを様々に配置するようにしても良い。この場合、正電極２１Ａと負電極２１Ｂとでそれぞれの合計表面積がほぼ等しくなるようにすることにより、光ディスク１００の帯電を防止することができる。
【０１１３】
このように図２４〜図２７に示した様々な電極の配置パターンは、光ディスク１００の材質や回転速度に応じて予め適切なパターンを選択しておくようにしてもよく、さらには電極全体を格子状に分割して各電極をそれぞれ正電極２１Ａ及び負電極２１Ｂのいずれにも切り換え得るようにし、装填される光ディスク１００の種類やそのときの回転速度に応じて電極の配置パターンを変更するようにしても良い。
【０１１４】
そのうえ光ディスク記録再生装置１及び４０においては、上述した絶縁体２３の有無、カバーフィルム２４の有無、電極部２０の設置箇所、及び電極の配置パターン等を適宜組み合わせるようにしても良い。
【０１１５】
さらに上述の実施の形態においては、光ディスク１００に情報を記録し、又は当該光ディスク１００から情報を再生し得る光ディスク記録再生装置１に本発明を適用するようにした場合について述べたが、これに限らず、当該光ディスク１００からの情報の再生のみを行う光ディスク再生装置に本発明を適用するようにしても良い。
【０１１６】
さらに上述の実施の形態においては、対物レンズに固体液浸レンズを用いた光ディスク記録再生装置１に本発明を適用するようにした場合について述べたが、これに限らず、ＣＤ、ＤＶＤ、あるいはＢＤ（Blu-ray Disc、登録商標）等に対応した種々の対物レンズを用いた光ディスク記録再生装置に本発明を適用するようにしても良い。
【０１１７】
さらに上述した第１の実施の形態においては、回転手段としてのスピンドルモータ１５と、光ビーム照射手段としての光ピックアップ１０と、吸着手段としての電極部２０と、移動手段としてのスレッドモータ８及び回転ねじ軸９とによって光ディスク装置としての光ディスク記録再生装置１を構成する場合について述べたが、本発明はこれに限らず、その他種々の構成でなる回転手段と、光ビーム照射手段と、吸着手段と、移動手段とによって光ディスク装置を構成するようにしても良い。
【０１１８】
さらに上述した第２の実施の形態においては、回転手段としてのスピンドルモータ１５と、吸着手段としての電極部２０と、移動手段としてのスレッドモータ４３、回転ねじ軸４４、及び電極移動部４６とによって光ディスク装置としての光ディスク記録再生装置４０を構成する場合について述べたが、本発明はこれに限らず、その他種々の構成でなる回転手段と、吸着手段と、移動手段とによって光ディスク装置を構成するようにしても良い。
【産業上の利用可能性】
【０１１９】
本発明は、光ディスクを用いて情報の記録又は再生を行い得る種々の光ディスク装置でも利用できる。
【図面の簡単な説明】
【０１２０】
【図１】第１の実施の形態による光ディスク記録再生装置の全体構成を示す略線的上面図である。
【図２】（Ａ）は第１の実施の形態による光ピックアップの構成を示す略線的斜視図、（Ｂ）は対物レンズ部１２の中心を通る断面を左方向から見た場合の略線的断面図である。
【図３】静電気力の発生及びダストの吸着の様子の説明に供する略線図である。
【図４】ダストを電極に付着させる様子の説明に供する略線図である。
【図５】光ディスク上の電極の軌跡を示す略線図である。
【図６】ダスト除去部の構成を示す略線図である。
【図７】電極のクリーニング（１）の説明に供する略線図である。
【図８】電極のクリーニング（２）の説明に供する略線図である。
【図９】電極のクリーニング（３）の説明に供する略線図である。
【図１０】電極のクリーニング（４）の説明に供する略線図である。
【図１１】電極のクリーニング（５）の説明に供する略線図である。
【図１２】電極のクリーニング（６）の説明に供する略線図である。
【図１３】電極のクリーニング（７）の説明に供する略線図である。
【図１４】電極のクリーニング（８）の説明に供する略線図である。
【図１５】電極のクリーニング（９）の説明に供する略線図である。
【図１６】第２の実施の形態による光ディスク記録再生装置の全体構成を示す略線的上面図である。
【図１７】第２の実施の形態による電極移動部の構成を示す略線的斜視図である。
【図１８】他の実施の形態による電極部の移動の説明に供する略線的斜視図である。
【図１９】（Ａ）は他の実施の形態による電極部の構成を示す略線的斜視図、（Ｂ）は電極部の断面を示す略線図である。
【図２０】他の実施の形態による電極部の構成を示す略全的断面図である。
【図２１】他の実施の形態による電極部の設置例（１）を示す略線図である。
【図２２】他の実施の形態による電極部の設置例（２）を示す略線図である。
【図２３】他の実施の形態による電極部の設置例（３）を示す略線図である。
【図２４】他の実施の形態による電極の配置パターン（１）を示す略線的断面図である。
【図２５】他の実施の形態による電極の配置パターン（２）を示す略線的断面図である。
【図２６】他の実施の形態による電極の配置パターン（３）を示す略線図である。
【図２７】他の実施の形態による電極の配置パターン（４）を示す略線図である。
【符号の説明】
【０１２１】
１、４０……光ディスク記録再生装置、２……光ディスク格納室、３……電極クリーニング室、８、４３……スレッドモータ、９、４４……回転ねじ軸、１０、４１……光ピックアップ、１１、４５、７７……ガイドレール、１２……対物レンズ部、２０、５０〜６８……電極部、２１Ａ……正電極、２１Ｂ……負電極、２２……直流電源、２３……絶縁体、２４……カバーフィルム、３０……ダスト除去部、３１……支持部、３１Ａ……ストッパ、３２……電極ワイパー、３３……電極ワイパー回動軸、３４……持上板、３５……持上板回動軸、４６、７３、７６……電極移動部、１００……光ディスク、１０１……ディスクカートリッジ、ｄｓ……ダスト。
【図１】
2006134382.tif 000003
【図２】
2006134382.tif 000004
【図３】
2006134382.tif 000005
【図４】
2006134382.tif 000006
【図５】
2006134382.tif 000007
【図６】
2006134382.tif 000008
【図７】
2006134382.tif 000009
【図８】
2006134382.tif 000010
【図９】
2006134382.tif 000011
【図１０】
2006134382.tif 000012
【図１１】
2006134382.tif 000013
【図１２】
2006134382.tif 000014
【図１３】
2006134382.tif 000015
【図１４】
2006134382.tif 000016
【図１５】
2006134382.tif 000017
【図１６】
2006134382.tif 000018
【図１７】
2006134382.tif 000019
【図１８】
2006134382.tif 000020
【図１９】
2006134382.tif 000021
【図２０】
2006134382.tif 000022
【図２１】
2006134382.tif 000023
【図２２】
2006134382.tif 000024
【図２３】
2006134382.tif 000025
【図２４】
2006134382.tif 000026
【図２５】
2006134382.tif 000027
【図２６】
2006134382.tif 000028
【図２７】
2006134382.tif 000029